(57)【要約】【課題】運転者に不快感を与えることなくアイドル状態での燃費を向上させつつ、触媒を早期に暖機する車両の制御装置を提供する。【解決手段】ニュートラル制御を実行するニュートラル制御実行手段と、均質燃焼を実行する均質燃焼実行手段と、リタード成層燃焼を実行するリタード成層燃焼を実行手段と、シフトレバー位置がＤレンジにあるアイドル状態での車両停止時に前記均質燃焼実行手段により均質燃焼を行わせつつニュートラル制御に移行させるニュートラル制御移行手段と、前記均質燃焼からリタード成層燃焼への切換を許可するか否かを判定する判定手段と、この判定結果よりリタード成層燃焼への切換を許可する場合に、前記均質燃焼から前記リタード成層燃焼に移行させるリタード成層燃焼移行手段とをエンジンコントローラ（１５）が備える。【選択図】図１
2010125911.tif 000002
【特許請求の範囲】
【請求項１】
エンジンに連結される自動変速機と、
シフトレバー位置がＤレンジにあるアイドル状態での車両停止時にニュートラル制御を実行するニュートラル制御実行手段と、
均質燃焼を実行する均質燃焼実行手段と、
リタード成層燃焼を実行するリタード成層燃焼実行手段と、
シフトレバー位置がＤレンジにあるアイドル状態での車両停止時に前記均質燃焼実行手段により均質燃焼を行わせつつニュートラル制御に移行させるニュートラル制御移行手段と、
前記均質燃焼実行手段による均質燃焼からリタード成層燃焼への切換を許可するか否かを判定する判定手段と、
この判定結果よりリタード成層燃焼への切換を許可する場合に、前記均質燃焼から前記リタード成層燃焼に移行させるリタード成層燃焼移行手段と
を備えることを特徴とする車両の制御装置。
【請求項２】
前記自動変速機はポンプインペラと、タービンランナとを有するトルクコンバータを備え、
前記リタード成層燃焼への切換を許可するか否かの判定を、エンジン回転速度と前記タービンランナの回転速度との差に基づいて行うことを特徴とする請求項１に記載の車両の制御装置。
【請求項３】
前記リタード成層燃焼移行手段は、リタード成層燃焼に移行させるに際し、スロットル開度調整手段を用いてスロットル開度をアイドル状態でのスロットル開度より所定値増大させることを特徴とする請求項１に記載の車両の制御装置。
【請求項４】
前記スロットル開度を所定値増大させた後にシリンダ吸入空気量が収束するまでの間、点火時期を前記アイドル状態での点火時期から徐々に遅角補正することを特徴とする請求項３に記載の車両の制御装置。
【請求項５】
前記点火時期の遅角補正量を前記シリンダ吸入空気量に応じて算出することを特徴とする請求項４に記載の車両の制御装置。
【請求項６】
前記リタード成層燃焼移行手段は、前記スロットル開度を所定値増大させた後にシリンダ吸入空気量が収束したタイミングで前記均質燃焼の噴射開始時期から前記リタード成層燃焼の噴射開始時期に切換えることを特徴とする請求項４に記載の車両の制御装置。
【請求項７】
前記自動変速機はトルクコンバータとドライブ機構部とフォワードワンウェイクラッチとを有し、
前記ニュートラル制御は、前記フォワードワンウェイクラッチを開放するかまたはスリップ状態とすることにより前記ドライブ機構部が前記エンジンによりトルクコンバータを介して駆動されるニュートラル状態とすることであることを特徴とする請求項１に記載の車両の制御装置。
【請求項８】
エンジンの燃焼室に臨んでいる点火プラグと、
エンジンの燃焼室に直接的に燃料を噴射し得る燃料噴射弁と
を備え、
前記リタード成層燃焼は、前記点火プラグにより圧縮上死点後に設定した点火時期で火花点火を行わせかつ前記燃料噴射弁によりこの点火時期の前に設定した燃料噴射時期に燃料噴射を行わせることにより成層燃焼を実現することであることを特徴とする請求項１に記載の車両の制御装置。
【発明の詳細な説明】
【技術分野】
【０００１】
本発明は、車両の制御装置、特に直噴式火花点火エンジン（内燃機関）と、エンジンに連結される自動変速機とを備えるものに関する。
【背景技術】
【０００２】
エンジンの排出ガス浄化用の触媒を早期に暖機するために点火時期を圧縮上死点後まで遅角させつつ成層燃焼を行わせるリタード成層燃焼が知られている。
【０００３】
また、排気通路に介装された触媒コンバータが未暖機状態にあるときには、点火時期を、最大トルクが得られる点火時期よりも遅角側の領域内で遅角させる点火時期制御手段が設けられ、エンジン出力軸が、トルクコンバータを備えた自動変速機に接続されているエンジンの制御装置において、上記点火時期制御手段が、低回転速度状態において上記自動変速機が走行レンジにあるときにはニュートラルレンジにあるときよりも点火時期の遅角量を大きくするものがある（特許文献１参照）。
【特許文献１】特開平１１−２８０６２９号公報
【発明の開示】
【発明が解決しようとする課題】
【０００４】
ところで、自動変速機のシフトレバー位置がＤレンジにあるアイドル状態での車両停止時に所定の条件の成立によりニュートラル制御を行わせることが知られているが、上記リタード成層燃焼を行わせているときにもニュートラル制御を行わせることが考えられる。これらニュートラル制御とリタード成層燃焼との２つを同時に実行している状態からアクセルペダルが踏まれて車両走行状態に移ると、ニュートラル制御の実行とリタード成層燃焼の実行とが一旦解除されるが、車両が減速して再び車両停止状態に移るとニュートラル制御の実行とリタード成層燃焼の実行とを再開する必要がある。ここで、ニュートラル制御を実行するために、自動変速機内のフォワードワンウェイクラッチを開放するが、この開放には遅れがある。この遅れに起因して、ニュートラル制御の実行とリタード成層燃焼の実行とを同時に再開すると、しばらくの間、フォワードワンウェイクラッチが幾分か係合された状態でリタード成層燃焼が実行されることになるので、リタード成層燃焼による燃焼振動が車両側に伝達されやすくなり、運転者に不快感を与えてしまう。また、自動変速機からエンジンに作用する負荷もしばらくは残るので、空気量を増大させる必要があり、そうなるとブレーキブースタ用負圧の確保が難しくなる。
【０００５】
そこで本発明は、運転者に不快感を与えることなくアイドル状態での燃費を向上させつつ、触媒を早期に暖機させる車両の制御装置を提供することを目的とする。
【課題を解決するための手段】
【０００６】
本発明は、エンジンに連結される自動変速機と、シフトレバー位置がＤレンジにあるアイドル状態での車両停止時にニュートラル制御を実行するニュートラル制御実行手段と、均質燃焼を実行する均質燃焼実行手段と、リタード成層燃焼を実行するリタード成層燃焼実行手段とを備え、シフトレバー位置がＤレンジにあるアイドル状態での車両停止時に前記均質燃焼実行手段により均質燃焼を行わせつつニュートラル制御に移行させ、前記均質燃焼実行手段による均質燃焼からリタード成層燃焼への切換を許可するか否かを判定し、この判定結果よりリタード成層燃焼への切換を許可する場合に、前記均質燃焼から前記リタード成層燃焼に移行させるように構成する。
【発明の効果】
【０００７】
本発明によれば、エンジンに連結される自動変速機と、シフトレバー位置がＤレンジにあるアイドル状態での車両停止時にニュートラル制御を実行するニュートラル制御実行手段と、均質燃焼を実行する均質燃焼実行手段と、リタード成層燃焼を実行するリタード成層燃焼を実行手段とを備え、シフトレバー位置がＤレンジにあるアイドル状態での車両停止時に前記均質燃焼実行手段により均質燃焼を行わせつつニュートラル制御に移行させ、前記均質燃焼実行手段による均質燃焼からリタード成層燃焼への切換を許可するか否かを判定し、この判定結果よりリタード成層燃焼への切換を許可する場合に、前記均質燃焼から前記リタード成層燃焼に移行させるので、ニュートラル制御が機能し始める前、すなわち自動変速機のフォワードワンウェイクラッチが幾分でも係合された状態でリタード成層燃焼が実行されることがなくなる。このため、リタード成層燃焼による燃焼振動が車両側に伝達されて、運転者に不快感を与えることがなくなる。また、ニュートラル制御の移行後にはニュートラル制御の実行によって、ニュートラル制御を実行しない場合よりも自動変速機からエンジンに作用する負荷が減少するので、その分だけ空気量を増大させる必要がなくなりブレーキブースタ用負圧を確保できる。
【発明を実施するための最良の形態】
【０００８】
以下、図面に基づき本発明の実施形態について説明する。図１はエンジンの制御装置の概略構成を、 図２は自動変速機３１及びその制御装置の概略構成を示し、エンジン１と自動変速機３１とは車両に搭載されている。
【０００９】
図１においてエンジン１の吸気コレクタ７の上流には、吸入空気量を制御するスロットル弁５が設置されている。スロットル弁５は、エンジンコントローラ１５からの信号により作動するステップモータ１０（スロットル開度調整手段）によりその開度が制御される。
【００１０】
エンジン１の燃焼室８ａには、点火プラグ２４と共に燃料噴射弁１３が設置されている。燃料噴射弁１３は、エンジンコントローラ１５からエンジン回転に同期して所定のタイミングに出力される燃料噴射パルス信号によりソレノイドに通電されて開弁し、燃料ポンプ１２により吐出され所定圧力に調圧された燃料タンク１１からの燃料を噴射するようになっている。
【００１１】
エンジン１の排気通路１９には、排気浄化用の触媒２２が設けられている。
【００１２】
エンジンコントローラ１５には、アクセルペダルセンサ（図示しない）により検出されるアクセル開度、クランク角センサ１６により検出されるエンジン回転速度、エアフローメータ３により検出される吸入空気流量、スロットルセンサ１８により検出されるスロットル開度、水温センサ２５により検出されるエンジン冷却水温が入力されている。
【００１３】
エンジンコントローラ１５は、これらの入力信号より検出されるエンジン運転条件に基づいて、燃焼方式（均質燃焼、成層燃焼）を設定し、これに合わせて、スロットル弁５の開度、燃料噴射弁１３の燃料噴射時期及び燃料噴射弁１３からの燃料噴射量、点火プラグ２４の点火時期を制御する。
【００１４】
エンジン１と連結される自動変速機３１は内部にトルクコンバータを備え、エンジン１の駆動力をトルクコンバータを介して内部の変速機構に伝達することで変速を実行して駆動輪側に出力している。自動変速機用コントローラ６１は、自動変速機３１を、車両の走行状態、エンジン１の運転状態及び運転者によるシフト操作に応じて要求される変速比とするために、内部のクラッチ、ブレーキの係合・開放の組合せを油圧制御回路５５を介して調整している。
【００１５】
図２において、自動変速機３１は、トルクコンバータ３１ａと、前進５段後進１段のドライブ機構部３１ｂとを備えている。トルクコンバータ３１ａは、ポンプインペラ４１、タービンランナ４２、ステータ４３及びロックアップ機構４４を備えたものであり、エンジン１のクランク軸２の出力をポンプインペラ４１からタービンランナ４２へ流動体を介して伝達する。
【００１６】
トルクコンバータ３１ａから駆動力がインプットシャフト３２を介して伝達されるドライブ機構部３１ｂは、サンギヤ５１ａ、５２ａ、５３ａ、インターナルギヤ５１ｂ、５２ｂ、５３ｂ及びキャリヤ５１ｃ、５２ｃ、５３ｃからなる３列の遊星歯車装置５１、５２、５３を備えている。この３列の遊星歯車装置５１、５２、５３の回転状態は、クラッチＣ１、Ｃ２、Ｃ３、ブレーキＢ１、Ｂ２、Ｂ３、Ｂ４及びワンウェイクラッチＦ１、Ｆ２、Ｆ３によって調整されている。
【００１７】
ドライブ機構部３１ｂから駆動力はアウトプットシャフト３３、図示しないドライブシャフト、作動歯車装置を介して駆動輪に伝達される。
【００１８】
変速に際しては自動変速機用コントローラ６１が油圧制御回路５５を介して、前記クラッチＣ１〜Ｃ３、ブレーキＢ１〜Ｂ４を係合・開放している。このうち、ワンウェイクラッチＦ２（フォーワードワンウェイクラッチ）は、エンジン１から駆動輪への動力伝達径路を断接するクラッチであり、自動変速機３１が前進レンジ（Ｄレンジ）にシフトされているときに係合されて動力伝達経路を接続するクラッチである。そして、油圧制御回路５５はワンウェイクラッチＦ２の油圧をコントロールバルブにより任意に調節することが可能であり、自動変速機用コントローラ６１は後述するニュートラル制御を行うことが可能となっている。
【００１９】
自動変速機用エンジンコントローラ６１には、運転者によるシフトレバーの位置を検出するシフトポジションスイッチ７１、自動変速機３１のアウトプットシャフト３３の回転速度から車速を検出する車速センサ７２、タービンランナの回転速度（＝自動変速機のインプットシャフト３３の回転速度）を検出するタービンセンサ７３、フットブレーキによる制動状態を検出するブレーキスイッチ７４などからの信号が入力されている。
【００２０】
自動変速機用コントローラ６１では上述した各種センサからの検出内容に基づいて、予め設定されたスロットル開度と車速とをパラメータとする変速点マップに従って、油圧制御回路５５内のソレノイドバルブ等を駆動している。このことにより前述したごとく各クラッチＣ１〜Ｃ３、ブレーキＢ１〜Ｂ４の係合の組合せを行って変速制御を行っている。
【００２１】
また、自動変速機用コントローラ６１はエンジンコントローラ１５との間で通信を行い、互いに必要な情報をやりとりしている。
【００２２】
さて、一層の燃費向上のためシフトレバー位置がＤレンジにあるアイドル状態（以下単に「Ｄレンジアイドル状態」という。）での車両停止時にニュートラル制御を行うものがある。ここで、「ニュートラル制御」とは、Ｄレンジアイドル状態での車両停止時に、自動変速機内のフォワードワンウェイクラッチを開放するかまたはスリップ状態とすることで自動変速機をニュートラル状態やこれに近い状態とし、エンジンに作用する変速機負荷（エンジン負荷）を減らすようにするものである。アイドル時にエンジン回転速度を目標アイドル回転速度へと維持するフィードバック制御を行うにしても、エンジン負荷を減らせばその分燃料噴射量を少なくでき、これによって燃費を向上させることができるわけである。
【００２３】
一方、エンジンの排出ガス浄化用の触媒を早期に暖機するために点火時期を圧縮上死点後まで遅角させつつ成層燃焼を行わせるリタード成層燃焼が知られている（特開２００８−２５５３５号公報参照）。このリタード成層燃焼について概説すると、触媒２２が活性化していない場合に、点火時期を圧縮上死点後の例えば１５〜３０ｄｅｇに設定して点火を行う。また、燃料噴射時期（燃料噴射開始時期のこと。以下同じ。）を、圧縮上死点後でかつ点火時期の前、つまり膨張行程に設定して燃料噴射を行う。燃料噴射はさらに２回に分割し、２回目の燃料噴射を膨張行程での燃料噴射とし、これに先立つ１回目の燃料噴射として圧縮行程で燃料噴射を行う。また、燃料噴射による燃焼室内の空燃比（燃料噴射を２回に分割しているので２回の燃料噴射トータルによる燃焼室内の空燃比）は、理論空燃比から若干リーン側の空燃比（例えば１６〜１７）とする。このように２回目の燃料噴射に先立ち、１回目の燃料噴射として圧縮行程での燃料噴射を行うと、１回目の燃料噴射が吸気行程での燃料噴射である場合に比べて、圧縮行程での燃料噴射のほうがその燃料噴霧によるガス乱れの減衰が遅くなる分、１回目の燃料噴射によるガス乱れが燃焼室内に残るため、その状態で２回目の燃料噴射（膨張行程での燃料噴射）を行うことで、１回目の燃料噴射で生成したガス乱れを助長するようにガス乱れを強化でき、膨張行程においても燃焼室内ガス流動を十分に強化できることとなる。点火時期を圧縮上死点後に遅らせてのこうした燃焼も成層燃焼であるが、点火時期が圧縮上死点前にくる通常の成層燃焼と区別するため、点火時期を圧縮上死点後に遅らせているこのような燃焼形態を「リタード成層燃焼」と名付けている。
【００２４】
特開２００８−２５５３５号公報に記載のリタード成層燃焼はスプレーガイド方式といわれるものであるが、本実施形態で採用するリタード成層燃焼はこれに限らずウォールガイド方式のリタード成層燃焼でもかまわない。上記のスプレーガイド方式のリタード成層燃焼では、ピストン冠面は平面であるため、燃料噴射弁からの噴霧（特に２回目の燃料噴射による噴霧）を噴霧の貫徹力を利用して直接点火プラグ周りに到達させるようにしているが、ウォールガイド方式のリタード成層燃焼では、ピストン冠面にキャビティを形成し、燃料噴射弁からの噴霧（特に２回目の燃料噴射による噴霧）をこのキャビティに向かわせた後に、キャビティ内で反転させて点火プラグ周りに到達させるようにしている。このため、ウォールガイド方式のリタード成層燃焼では噴射時期がスプレーガイド方式のリタード成層燃焼と若干相違し、１回目の燃料噴射は圧縮行程前半での燃料噴射、２回目の燃料噴射は圧縮行程後半での燃料噴射となっている。
【００２５】
本実施形態は、これらリタード成層燃焼を２回の分割噴射により行うものに限定されるものでない。すなわち、リタード成層燃焼を１回のみの燃料噴射により行う場合（たとえば、リタード成層燃焼を２回の分割噴射により行うものにおいて１回目の燃料噴射を省略し、２回目の燃料噴射だけを行う場合）でもかまわない。
【００２６】
そして、このようなリタード成層燃焼を行わせているときにもニュートラル制御を行わせることが考えられるが、この状態からアクセルペダルが踏まれて車両走行状態に移ると、ニュートラル制御とリタード成層燃焼制御が一旦解除され、さらに車両が減速して再び車両停止状態に移るとニュートラル制御の実行とリタード成層燃焼の実行とを再開することになる。ここで、ニュートラル制御を実行するために、自動変速機内のフォワードワンウェイクラッチを開放させるが、この開放には遅れがある。この遅れに起因して、ニュートラル制御の実行とリタード成層燃焼の実行とを同時に再開すると、しばらくの間、フォワードワンウェイクラッチが幾分か係合された状態でリタード成層燃焼が実行されることになるので、リタード成層燃焼による燃焼振動が車両側に伝達されやすくなり、運転者に不快感を与えてしまう。また、自動変速機からエンジンに作用する負荷もしばらくは残るので、空気量を増大させる必要がありブレーキブースタ用負圧の確保が難しくなる。
【００２７】
そこで本発明は、ニュートラル制御の開始と同時にリタード成層燃焼を行わせるのではなく、先にニュートラル制御への移行を開始し、このニュートラル制御への移行中、もしくは移行後に均質燃焼からリタード成層燃焼への切換を許可するか否かの判定を行い、許可されたときに均質燃焼からリタード成層燃焼へと移行させることとする。
【００２８】
これを図３を参照してさらに説明する。図３はＤレンジアイドルからニュートラル制御への移行時、及び均質燃焼よりリタード成層燃焼への移行時に目標アイドル回転速度、タービン回転速度、変速機負荷（エンジン負荷）、燃焼切換許可フラグ、燃焼切換実行フラグ、スロットル開度、シリンダ（燃焼室８ａ）に流入するシリンダ吸入空気量（以下単に「シリンダ吸入空気量」という。）、点火時期、燃焼形態がどのように変化するのかをモデルで示している。
【００２９】
シフトレバー位置をＤレンジとしている状態での車両走行中にアクセルペダルから脚を離し、ブレーキペダルを踏み込んで車両を停止させたとすると、エンジンはアイドル状態となり、ｔ１のタイミングでニュートラル制御開始条件が成立したとする。ｔ１でニュートラル制御への移行を開始し自動変速機３１をニュートラル状態とするためフォワードワンウェイクラッチＦ２を開放する。タービン回転速度Ｎｔｂｎは車両の停止によってゼロとなっているが、ｔ１でのフォワードワンウェイクラッチＦ２の開放によってエンジン１と変速機のドライブ機構部３１ｂとがトルクコンバータ３１ａを介して接続された状態となる。つまり、タービンランナ４２がポンプインペラ４１により流体を介して駆動されるため、ｔ１より少し遅れたタイミングから、タービン回転速度Ｎｔｂｎがゼロを離れてゆっくりと上昇してゆき、ｔ３のタイミングで目標アイドル回転速度ＮＳＥＴ（例えば８００ｒｐｍ）より若干低い値である所定値Ｎｔ１に収束している。なお、フォワードワンウェイクラッチＦ２を開放する代わりに、フォワードワンウェイクラッチＦ２の係合圧を弱めてスリップ状態とするようにしてもかまわない。
【００３０】
Ｄレンジアイドル状態での変速機負荷を所定値ＬＯＡＤ１とすると、ｔ１でのフォワードワンウェイクラッチＦ２の開放によって変速機負荷は徐々に減少しｔ３のタイミングでニュートラル相当の負荷である所定値ＬＯＡＤ２に収束する。このようにして、ニュートラル制御への移行はｔ３のタイミングで完了する。
【００３１】
変速機負荷がｔ１より減少すれば、その分燃焼振動が車両側に伝達されにくくなる。そこで本発明では燃焼振動が車両側へ伝達されにくくなった状態で均質燃焼からリタード成層燃焼への燃焼形態の切換を行わせるため、目標アイドル回転速度ＮＳＥＴとタービン回転速度Ｎｔｂｎとの差ΔＮ１（＝ＮＳＥＴ−Ｎｔｂｎ）を算出し、その回転速度差ΔＮ１が所定値（正の値）以下となるｔ２のタイミングで燃焼切換許可フラグをゼロから１へと切換える。すなわち、ニュートラル制御移行中はｔ１よりｔ３までの期間であるが、その期間の途中であるｔ２のタイミングで燃焼切換許可フラグをゼロから１へと切換えることにより、リタード成層燃焼への移行を開始させる。
【００３２】
ｔ２からのリタード成層燃焼への移行に際しては、まずｔ２でスロットル開度をアイドル相当値ＴＶＯｉｄｌから所定値ΔＴＶＯ（正の値）だけステップ的に大きくした所定値ＴＶＯ１（＝ＴＶＯｉｄｌ＋ΔＴＶＯ）とする。スロットル開度をアイドル相当値ＴＶＯｉｄｌから所定値ΔＴＶＯだけステップ的に大きくするのは、リタード成層燃焼における、均質燃焼時の点火時期からの大きな点火時期リタード（遅角）によってエンジン発生トルクが減少するので、そのエンジン発生トルクの減少分を、スロットル開度を所定値ΔＴＶＯだけステップ的に大きくすることによって燃料噴射弁１３からの燃料噴射量を増やしエンジン発生トルクを増加させることで、相殺させるためである。
【００３３】
シリンダ吸入空気量はｔ１の前には所定値Ｑ１（Ｄレンジアイドル状態でのシリンダ吸入空気量）であったのが、ｔ１のタイミングからの変速機負荷の減少に合わせてゆっくと減少している。シリンダ吸入空気量がｔ１のタイミングよりゆっくと減少するのはアイドル状態で実際のエンジン回転速度Ｎｅが目標アイドル回転速度ＮＳＥＴ（＝８００ｒｐｍ）と一致するようにスロットル開度のフィードバック制御を行っているためである。すなわち、Ｄレンジアイドル状態で実際のエンジン回転速度Ｎｅが目標アイドル回転速度ＮＳＥＴと一致するようにスロットル開度のフィードバック制御を行っている状態でｔ１より変速機負荷が減少すると、その分実際のエンジン回転速度Ｎｅが目標アイドル回転速度ＮＳＥＴを超えて上昇する。この上昇した実際のエンジン回転速度Ｎｅを目標アイドル回転速度ＮＳＥＴに戻そうとスロットル開度が閉じ側に補正され、これに伴ってシリンダ吸入空気量が減少するためである。
【００３４】
そして、ｔ２でのスロットル開度のステップ増加に応じ、シリンダ吸入空気量は所定値Ｑ３からほぼ一次の応答で増加してｔ４のタイミングで所定値Ｑ２に収束している。
【００３５】
一方、Ｄレンジアイドル状態での点火時期は所定値ＡＤＶ０（ＭＢＴの得られる点火時期より若干リタード側の点火時期）となっている。燃焼切換許可フラグがゼロより１へと切換わるｔ２のタイミングよりリタード成層燃焼へと移行させるため、燃焼形態は均質燃焼に維持したまま点火時期だけを遅らせる。このときの所定値ＡＤＶ０からの点火時期の遅角補正量ＲＥＴはシリンダ吸入空気量の変化（増加）に合わせたものとする。その理由は、シリンダ吸入空気量が増加すればその分エンジン発生トルクが増加するので、その増加する分だけ点火時期を遅角補正すれば、エンジン発生トルクを一定に保ちつつ点火時期を遅角できるためである。この結果、点火時期の遅角補正量ＲＥＴは一次遅れの波形で与えることとなる。
【００３６】
ｔ２からｔ４までシリンダ吸入空気量が変化（増加）している途中で均質燃焼からリタード成層燃焼へと切換える場合と、シリンダ吸入空気量が収束した後に均質燃焼からリタード成層燃焼へと切換える場合とを比較すれば、シリンダ吸入空気量が収束した後に均質燃焼からリタード成層燃焼へと切換える場合のほうが、燃焼への影響が少なくて済む。一方、ｔ２からの点火時期の遅角補正によって均質燃焼における燃焼が不安定となってゆくため、均質燃焼での点火時期の燃焼安定限界（これ以上燃焼が不安定となってはいけない遅角側限界の点火時期のこと）となるタイミングで均質燃焼からリタード成層燃焼へと切換える必要がある。この２つを勘案し、本実施形態では時期的に早いほう、つまりシリンダ吸入空気量が収束するｔ４のタイミングで燃焼切換実行フラグをゼロから１へと切換え、燃焼形態を均質燃焼からリタード成層燃焼へと切換える。このため、点火時期はｔ４のタイミングで所定値ＡＤＶ３から所定値ＡＤＶ１（リタード成層燃焼での点火時期の燃焼安定限界）へとステップ的に遅角させる。このようにして、リタード成層燃焼への移行はｔ４のタイミングで完了する。
【００３７】
このように、ニュートラル制御移行中はｔ１よりｔ３までの期間であり、このニュートラル制御移行中のｔ２のタイミングでリタード成層燃焼への移行を開始し、ニュートラル制御への移行が完了するｔ３のタイミングの後のｔ４でリタード成層燃焼への移行を完了している。
【００３８】
自動変速機用コントローラ６１と協動しつつエンジンコントローラ１５で実行されるこの制御を図４から図８までのフローチャートに基づいて詳述する。
【００３９】
まず、図４はニュートラル制御開始フラグを設定するためのもので、一定時間毎（例えば１０ｍｓ毎）に実行する。
【００４０】
ステップ１〜６では
〈１〉Ｄレンジであること、
〈２〉アイドル状態であること（アクセルペダルが踏み込まれていないこと）、
〈３〉ブレーキスイッチ７４がＯＮであること、
〈４〉車速がゼロまたは所定値以下であること、
〈５〉冷却水温が所定範囲にあること、
〈６〉変速機の油温が所定範囲にあること
の各条件が成立するか否かをみて、いずれか一つでも成立しないときにはステップ９に進んでニュートラル制御開始フラグ＝０とする。これに対して上記〈１〉〜〈６〉の全ての条件が成立するときにはニュートラル制御条件が成立したと判断しステップ７に進んでニュートラル制御開始フラグ＝１とすると共に、ステップ８で自動変速機をニュートラル状態とするためフォワードワンウェイクラッチＦ２を開放することを自動変速機用コントローラ６１に送信する。自動変速機用コントローラ６１ではこの送信を受けてフォワードワンウェイクラッチＦ２を開放する。
【００４１】
ここで、上記〈１〉のＤレンジであるか否かはシフトポジションスイッチ７１により検出される。上記〈２〉のアイドル状態であるか否かはアクセルペダルセンサ（図示しない）により検出される。上記〈４〉の車速がゼロまたは所定値以下であるか否かは車速センサ７２により検出される。上記〈５〉の冷却水温が所定範囲にあるか否かは水温センサ２５により検出される。上記〈６〉の変速機の油温が所定範囲にあるか否かは図示しない油温センサにより検出される。
【００４２】
図５は燃焼切換許可フラグを設定するためのもので、図４のフローに続けて一定時間毎（例えば１０ｍｓ毎）に実行する。
【００４３】
ステップ１１ではニュートラル制御開始フラグ（図４により設定済み）をみてニュートラル制御開始フラグ＝０であるときにはステップ１５に進んで燃焼切換許可フラグ＝０とする。これに対してステップ１１でニュートラル制御開始フラグ＝１であるときにはステップ１２に進み、タービンセンサ７３により検出されるタービン回転速度ｔｂｎの目標アイドル回転速度ＮＳＥＴからの偏差を、つまり、
ΔＮ１＝ＮＳＥＴ−Ｎｔｂｎ                              …（１）
【００４４】
ただし、ＮＳＥＴ；目標アイドル回転速度、
Ｎｔｂｎ；タービン回転速度、
の式により回転速度偏差ΔＮ１を算出し、ステップ１３でこの回転速度偏差ΔＮ１と所定値を比較する。所定値は均質燃焼からリタード成層燃焼への移行を開始させるか否かの判定値で、予め定めておく。回転速度偏差ΔＮ１が所定値を超えているときにはステップ１５に進んで燃焼切換許可フラグ＝０とする。なお、ステップ１２では、目標アイドル回転速度にＮＳＥＴに代えて、実エンジン回転速度Ｎｅで判定してもよい。
【００４５】
ステップ１３で回転速度偏差ΔＮ１が所定値以下となったときには均質燃焼からリタード成層燃焼への移行を開始させるためステップ１４に進み燃焼切換許可フラグ＝１とする。
【００４６】
図６はＤレンジアイドル状態での目標スロットル開度を算出するためのもので、図５のフローに続けて一定時間毎（例えば１０ｍｓ毎）に実行する。
【００４７】
ステップ２１ではＤレンジアイドル状態であるか否かをみる。Ｄレンジアイドル状態であるときにはテップ２２、２３に進み今回と前回の燃焼切換許可フラグ（図５により設定済み）をみる。今回に燃焼切換許可フラグ＝０であるときにはステップ２４に進みスロットル開度基本値ＴＶＯｂにアイドル相当値ＴＶＯｉｄｌ（Ｄレンジアイドル状態でのスロットル開度）を入れる。ステップ２２、２３で今回に燃焼切換許可フラグ＝１でありかつ前回に燃焼切換許可フラグ＝０であったとき、つまり今回に燃焼切換許可フラグがゼロから１に切換わったときにはステップ２５に進み、均質燃焼からリタード成層燃焼に移行するに際してアイドル相当値ＴＶＯｉｄｌに所定値ΔＴＶＯを加算した値（図３でいう所定値ＴＶＯ１）をスロットル開度基本値ＴＶＯｂに入れる。これに対してステップ２２、２３で今回に燃焼切換許可フラグ＝１でありかつ前回に燃焼切換許可フラグ＝１であったとき、つまり燃焼切換許可フラグ＝１が継続しているときにはステップ２６に進み、スロットル開度基本値ＴＶＯｂを維持、つまり前回のスロットル開度基本値をそのまま今回のロットル開度基本値ＴＶＯｂに移す。
【００４８】
ステップ２７〜３３は実エンジン回転速度が目標アイドル回転速度と一致するようにスロットル開度のフィードバック制御を行う部分である。ステップ２７では、目標アイドル回転速度ＮＳＥＴと実エンジン回転速度Ｎｅの偏差を、つまり
ΔＮ２＝ＮＳＥＴ−Ｎｅ                                  …（２）
【００４９】
ただし、ＮＳＥＴ；目標アイドル回転速度、
Ｎｅ；実エンジン回転速度、
の式により回転速度偏差ΔＮ２を算出し、ステップ２８でこの回転速度偏差ΔＮ２の絶対値｜ΔＮ２｜と許容値を比較する。許容値はアイドル状態で実エンジン回転速度Ｎｅが目標アイドル回転速度ＮＳＥＴの付近に収まっているか否かを判定するための値で、例えば２５ｒｐｍである。回転速度偏差絶対値｜ΔＮ２｜が許容値を超えているときには実エンジン回転速度Ｎｅが目標アイドル回転速度ＮＳＥＴの付近に収まっていないと判断しステップ２９に進んで回転速度偏差ΔＮ２とゼロとを比較する。回転速度偏差ΔＮ２が正、つまり実エンジン回転速度Ｎｅが目標アイドル回転速度ＮＳＥＴ−許容値を下回っているときには実回転速度Ｎｅを高くして目標アイドル回転速度ＮＳＥＴの付近に戻すためステップ３０で前回のフィードバック量に所定値ＺＯＵを加算した値を今回のフィードバック量として、つまり、
ＦＢ＝ＦＢ（前回）＋ＺＯＵ                              …（３）
【００５０】
ただし、ＦＢ（前回）：前回のＦＢ、
ＺＯＵ：所定値、
の式によりスロットル開度のフィードバック量ＦＢを更新する。これに対して、ステップ２９で回転速度偏差ΔＮ２が負、つまり実エンジン回転速度Ｎｅが目標アイドル回転速度ＮＳＥＴ＋許容値を上回っているときには実回転速度Ｎｅを低くして目標アイドル回転速度ＮＳＥＴの付近に戻すためステップ３１に進み前回のフィードバック量から所定値ＧＥＮを減算した値を今回のフィードバック量として、つまり、
ＦＢ＝ＦＢ（前回）−ＧＥＮ                              …（４）
【００５１】
ただし、ＦＢ（前回）：前回のＦＢ、
ＧＥＮ：所定値、
の式によりスロットル開度のフィードバック量ＦＢを更新する。一方、ステップ２８で回転速度偏差ΔＮ２の絶対値｜ΔＮ２｜が許容値以下であるときには実エンジン回転速度Ｎｅが目標アイドル回転速度ＮＳＥＴの付近に収まっていると判断しステップ３２に進み、スロットル開度のフィードバック量を維持、つまり前回のフィードバック量を今回のフィードバック量に移す。
【００５２】
ステップ３３では、このようにして得たスロットル開度のフィードバック量ＦＢをスロットル開度基本値ＴＶＯｂに加算して、つまり
ＴＶＯｍ＝ＴＶＯｂ＋ＦＢ                                …（５）
の式によりＤレンジアイドル状態での目標スロットル開度ＴＶＯｍを算出する。
【００５３】
このようにして算出した目標スロットル開度ＴＶＯｍは、図示しないフローにおいてステップモータ１０へのステップ数に変換され、このステップ数がステップモータ１０に出力される。これによりＤレンジアイドル状態で実エンジン回転速度Ｎｅが目標アイドル回転速度ＮＳＥＴと一致するようにスロットル開度のフィードバック制御が行われる。
【００５４】
図７は燃焼切換実行フラグを設定するためのもので、図５、図６のフローに続けて一定時間毎（例えば１０ｍｓ毎）に実行する。
【００５５】
ステップ４１では燃焼切換許可フラグ（図５により設定済み）をみて燃焼切換許可フラグ＝０であるときにはステップ４５に進んで燃焼切換実行フラグ＝０とする。これに対してステップ４１で燃焼切換許可フラグ＝１であるときにはステップ４２に進み、アイドル相当値ＴＶＯｉｄｌに一定値ΔＴＶＯを加算した値がスロットル開度基本値ＴＶＯｂに入っているか否かをみる。アイドル相当値ＴＶＯｉｄｌに一定値ΔＴＶＯを加算した値がスロットルバルブ開度基本値ＴＶＯｂに入っていなければステップ４５に進んで燃焼切換実行フラグ＝０とする。
【００５６】
ステップ４２でアイドル相当値ＴＶＯｉｄｌに所定値ΔＴＶＯを加算した値がスロットルバルブ開度基本値ＴＶＯｂに入っていればステップ４３に進んでシリンダ吸入空気量Ｑｃｙｌが収束したか否かをみる。これは、例えばシリンダ吸入空気量Ｑｃｙｌの所定時間当たりの変化量ΔＱｃｙｌを算出し、その変化量ΔＱｃｙｌが所定値以下になればシリンダ吸入空気量Ｑｃｙｌが収束したと、またその変化量ΔＱｃｙｌが所定値以下になければシリンダ吸入空気量Ｑｃｙｌは収束していないと判定すればよい。シリンダ吸入空気量Ｑｃｙｌの算出方法は特開２００１−５００９１号公報により公知である。シリンダ吸入空気量Ｑｃｙｌが収束していなければステップ４５に進んで燃焼切換実行フラグ＝０とする。
【００５７】
ステップ４２でシリンダ吸入空気量Ｑｃｙｌが収束したときには燃焼形態を均質燃焼からリタード成層燃焼へ切換えるためステップ４４に進み燃焼切換実行フラグ＝１とする。
【００５８】
図８はＤレンジアイドル状態での点火時期を算出すると共に燃焼形態に応じた噴射開始時期を設定するためのもので、図７のフローに続けて一定時間毎（例えば１０ｍｓ毎）に実行する。
【００５９】
ここで、均質燃焼での点火時期は圧縮上死点前にあり、リタード成層燃焼での点火時期は圧縮上死点後にある。このため、圧縮上死点を起点として進角側に計測するクランク角［ｄｅｇＢＴＤＣ］を採用すると、リタード成層燃焼での点火時期は負の値となって扱いにくい。そこで、本実施形態では、例えば吸気下死点（ＢＤＣ）を起点として遅角側に計測するクランク角［ｄｅｇＡＢＤＣ］を採用している。このように点火時期の起点を取り直すことで、均質燃焼時、リタード成層燃焼時のいずれも点火時期を正の値で扱うことができる。
【００６０】
ステップ５１ではＤレンジアイドル状態であるか否かをみる。Ｄレンジアイドル状態であるときにはテップ５２、５３に進んで燃焼切換許可フラグ、燃焼切換実行フラグをみる。燃焼切換実行フラグ＝０かつ燃焼切換許可フラグ＝０であるときにはステップ５４に進み、点火時期ＡＤＶ［ｄｅｇＡＢＤＣ］に所定値ＡＤＶ０［ｄｅｇＡＢＤＣ］を入れる。所定値ＡＤＶ０はＤレンジアイドル状態での最適な点火時期、つまりＭＢＴより若干遅角側の点火時期である。
【００６１】
燃焼切換実行フラグ＝０かつ燃焼切換許可フラグ＝１であるときにはステップ５６に進み、シリンダ吸入空気量Ｑｃｙｌから図９を内容とするテーブルを検索することにより点火時期の遅角補正量ＲＴＤ［ｄｅｇ］を算出し、ステップ５７で所定値ＡＤＶ０にこの点火時期の遅角補正量ＲＴＤを加算した値を点火時期ＡＤＶとして、つまり、
ＡＤＶ＝ＡＤＶ０＋ＲＴＤ                                …（６）
の式により点火時期ＡＤＶを算出する。上記のように点火時期には吸気下死点（ＢＤＣ）を起点として遅角側に計測するクランク角［ｄｅｇＡＢＤＣ］を採用しているので、（６）式において点火時期の遅角補正量ＲＴＤを加算することは、点火時期を遅角側に補正することを意味する。
【００６２】
上記図９に示したように、点火時期の遅角補正量ＲＴＤはシリンダ吸入空気量Ｑｃｙｌが増えるほど大きくなる値である。ここで、図９横軸の所定値Ｑ３は、図３に示したｔ２のタイミングでのシリンダ吸入空気量で、このとき点火時期の遅角補正量ＲＴＤはゼロである。また、シリンダ吸入空気量Ｑｃｙｌが所定値Ｑ２のとき、点火時期の遅角補正量ＲＴＤは最大値ＲＴＤｍｘをとる。
【００６３】
ステップ５５では均質燃焼での噴射開始時期を設定する。均質燃焼での噴射開始時期は吸気行程前半にある。
【００６４】
一方、ステップ５２で燃焼切換実行フラグ＝１であるときにはステップ５８に進み点火時期ＡＤＶに所定値ＡＤＶ１［ｄｅｇＡＢＤＣ］を入れる。所定値ＡＤＶ１はリタード成層燃焼での点火時期の遅角側燃焼安定限界である。
【００６５】
ステップ５９ではリタード成層燃焼での噴射開始時期を設定する。リタード成層燃焼での噴射開始時期はウォールガイド方式の場合、１回目は圧縮行程前半、２回目は圧縮行程後半にある。
【００６６】
ここで、本実施形態の作用効果を説明する。
【００６７】
本実施形態（請求項１に記載の発明）によれば、エンジンに連結される自動変速機３１と、シフトレバー位置がＤレンジにあるアイドル状態での車両停止時にニュートラル制御を実行するニュートラル制御実行手段と、均質燃焼を実行する均質燃焼実行手段と、リタード成層燃焼を実行するリタード成層燃焼実行手段とを備え、Ｄレンジアイドル状態での車両停止時に前記均質燃焼実行手段により均質燃焼を行わせつつニュートラル制御に移行させ（図４のステップ１〜６、７、８、図８のステップ５１、５２、５３、５４、５５参照）、均質燃焼実行手段による均質燃焼からリタード成層燃焼への切換を許可するか否かを判定し（図５のステップ１１〜１５参照）、この判定結果よりリタード成層燃焼への切換を許可する場合に、均質燃焼からリタード成層燃焼に移行させる（図８のステップ５１〜５９参照）ので、ニュートラル制御が機能し始める前、すなわち自動変速機３１のフォワードワンウェイクラッチＦ２が幾分でも係合された状態でリタード成層燃焼が実行されることがなくなり、リタード成層燃焼による燃焼振動が車両側に伝達されて、運転者に不快感を与えることがなくなる。また、ニュートラル制御の移行後にはニュートラル制御の実行によって、ニュートラル制御を実行しない場合よりも自動変速機３１からエンジンに作用する負荷が減少するので、その分だけシリンダ空気量を増大させる必要がなくなってブレーキブースタ用負圧を確保できる。
【００６８】
本実施形態（請求項２に記載の発明）によれば、自動変速機３１はポンプインペラ４１と、タービンランナ４２とを有するトルクコンバータ３１ａを備え、リタード成層燃焼への切換を許可するか否かの判定を、エンジン回転速度とタービン回転速度（タービンランナ４２の回転速度）Ｎｔｂｎとの差ΔＮ１に基づいて行うので（図５のステップ１１、１２、１３参照）、ニュートラル制御への移行中であるか否かの判定を容易に行うことができる。また、ニュートラル制御に完全に移行（ｔ３）する前に、リタード成層燃焼への移行を開始できるので、早期にリタード成層燃焼の実行を再開できて触媒の早期暖機が可能になる。
【００６９】
リタード成層燃焼では、アイドル状態での点火時期（ＡＤＶ０）より圧縮上死点後の点火時期（ＡＤＶ１）へと大きく遅角されるので、その点火時期の遅角分（＝ＡＤＶ１−ＡＤＶ０）だけアイドル状態でのエンジン発生トルクが低下し、アイドル安定性が悪くなることが考えられるのであるが、本実施形態（請求項３に記載の発明）によれば、リタード成層燃焼移行手段は、均質燃焼からリタード成層燃焼に移行させるに際し、ステップモータ１０（スロットル開度調整手段）を用いてスロットル開度をアイドル状態でのスロットル開度ＴＶＯｉｄｌより所定値ΔＴＶＯ増大させるので（図６のステップ２２、２３、２５、２２、２３、２６参照）、もともと燃焼の不安定なアイドル状態で点火時期を単に遅角することによるエンジン発生トルクの低下を防止できる。
【００７０】
シリンダ吸入空気量Ｑｃｙｌが収束するのを待って、ＭＢＴより若干リタード側にあるアイドル状態での点火時期（ＡＤＶ０）からリタード成層燃焼での点火時期の燃料安定限界（ＡＤＶ１）へと点火時期を一気に切換えたのでは、エンジン発生トルクが変動し運転性が悪くなってしまうのであるが、本実施形態（請求項４に記載の発明）によれば、スロットル開度を所定値ΔＴＶＯ増大させた後にシリンダ吸入空気量Ｑｃｙｌが収束するまでの間、点火時期をアイドル状態での点火時期（ＡＤＶ０）から徐々に遅角補正するので（図８のステップ５１、５２、５３、５６、５７参照）、シリンダ吸入空気量Ｑｃｙｌが収束したタイミングでの点火時期（ＡＤＶ３）は相当程度遅角側に移動しており、従ってシリンダ吸入空気量Ｑｃｙｌが収束したタイミングでの点火時期（ＡＤＶ３）からリタード成層燃焼での点火時期の燃料安定限界（ＡＤＶ１）への変化量（＝ＡＤＶ１−ＡＤＶ３）は小さなものとなっている。このため、シリンダ吸入空気量Ｑｃｙｌが収束したタイミングでリタード成層燃焼での点火時期の燃料安定限界（ＡＤＶ１）へと点火時期をステップ的に切換えてもそのステップ変化量（＝ＡＤＶ１−ＡＤＶ３）は小さなものであり、従ってエンジン発生トルクがそれほど変動することがなく、運転性の悪化を防止できる。
【００７１】
スロットル開度を所定値ΔＴＶＯ増大させたときシリンダ吸入空気量Ｑｃｙｌは一次遅れで増加するため、このシリンダ吸入空気量Ｑｃｙｌの変化に関係なく点火時期の遅角補正量ＲＴＤを与えたのではアイドル状態でのエンジン発生トルクが変動してしまうのであるが、本実施形態（請求項５に記載の発明）によれば、点火時期の遅角補正量ＲＴＤをシリンダ吸入空気量Ｑｃｙｌに応じて算出するので（図８のステップ５６、図９参照）、アイドル状態でのエンジン発生トルクを一定に維持しつつ点火時期を遅らせることができる。
【００７２】
本実施形態（請求項６に記載の発明）によれば、リタード成層燃焼移行手段は、スロットル開度を所定値ΔＴＶＯ増大させた後にシリンダ吸入空気量Ｑｃｙｌが収束したタイミングで均質燃焼の噴射開始時期からリタード成層燃焼の噴射開始時期に切換えるので（図７のステップ４１、４２、４３、４４、図８のステップ５２、５９参照）、シリンダ吸入空気量Ｑｃｙｌが収束していく途中のタイミングでリタード成層燃焼の噴射開始時期に切換える場合と比べて燃焼への影響が少なくて済む。
【００７３】
実施形態では、車両走行後のＤレンジアイドル状態での車両停止時の場合で説明したが、この場合に限らず、シフトレバー位置をＮレンジからＤレンジヘ変更した後のアイドル状態での車両停止時に、均質燃焼実行手段により均質燃焼を行わせつつニュートラル制御に移行させ、均質燃焼からリタード成層燃焼への切換を許可するか否かを判定し、この判定結果よりリタード成層燃焼への切換を許可する場合に、均質燃焼からリタード成層燃焼に移行させるようにしてもかまわない。
【００７４】
請求項１においてニュートラル制御移行手段の機能は図４のステップ１〜６、７、８、図８のステップ５１、５２、５３、５４、５５により、判定手段の機能は図５のステップ１１〜１５により、リタード成層燃焼移行手段の機能は図８のステップ５１〜５９により果たされている。
【図面の簡単な説明】
【００７５】
【図１】本発明の第１実施形態のエンジンの制御装置の概略構成図。
【図２】本発明の第１実施形態の自動変速機及びその制御装置の概略構成図。
【図３】Ｄレンジアイドルからニュートラル制御への移行時、及び均質燃焼よりリタード成層燃焼への移行時の目標アイドル回転速度、タービン回転速度、変速機負荷、燃焼切換許可フラグ、燃焼切換実行フラグ、スロットル開度、シリンダ吸入空気量、点火時期、燃焼形態の変化を示すタイミングチャート。
【図４】ニュートラル制御開始フラグの設定を説明するためのフローチャート。
【図５】燃焼切換許可フラグの設定を説明するためのフローチャート。
【図６】目標スロットル開度の算出を説明するためのフローチャート。
【図７】燃焼切換実行フラグの設定を説明するためのフローチャート。
【図８】点火時期の算出と燃料噴射時期の設定を説明するためのフローチャート。
【図９】点火時期遅角量の特性図。
【符号の説明】
【００７６】
８ａ  燃焼室
１０  ステップモータ（スロットル開度調整手段）
１３  燃料噴射弁
１５  エンジンコントローラ
２２  触媒
２４  点火プラグ
【図１】
2010125911.tif 000003
【図２】
2010125911.tif 000004
【図３】
2010125911.tif 000005
【図４】
2010125911.tif 000006
【図５】
2010125911.tif 000007
【図６】
2010125911.tif 000008
【図７】
2010125911.tif 000009
【図８】
2010125911.tif 000010
【図９】
2010125911.tif 000011